(57)【要約】【課題】  入力信号の画質に対して最適な録画モードで録画することが可能な光ディスク記録装置およびその記録方法を提供する。【解決手段】  画質解析部５は、入力アナログ信号のノイズレベルを検出し、検出されたノイズレベルと予め定められた基準値ＲＥＦ１〜ＲＥＦ４とを比較し、比較結果に応じて録画モードＸＰ，ＳＰ，ＬＰ，ＥＰ，ＳＬＰのうち最適な録画モードを選択する制御信号を出力する。録画モード設定部６は、制御信号に従ってエンコーダ４の録画モードを設定する。エンコーダ４は、設定された録画モードに対応する圧縮率で、Ａ／Ｄ変換回路３からのデジタル信号を圧縮して圧縮画像データを生成する。光ヘッド７は、生成された圧縮画像データを光ディスク８に記録する。したがって、入力信号の画質に対して最適な録画モードで録画することが可能になり、使い勝手がよくなる。【選択図】        図１
2006323925.tif 000002
【特許請求の範囲】
【請求項１】
それぞれ録画画質の異なる複数の録画モードを有する光ディスク記録装置であって、
入力アナログ信号をデジタル信号に変換するアナログ／デジタル変換回路、
前記入力アナログ信号のノイズレベルを検出し、検出されたノイズレベルと予め定められた複数の基準値とを比較して、比較結果に応じて前記複数の録画モードのうちのいずれかの録画モードを選択する画質解析部、
前記画質解析部によって選択された録画モードに対応する圧縮率で、前記アナログ／デジタル変換回路からのデジタル信号を圧縮して、圧縮画像データを生成するエンコーダ、および
前記エンコーダによって生成された圧縮画像データを光ディスクに記録する記録部を備える、光ディスク記録装置。
【請求項２】
それぞれ録画画質の異なる複数の録画モードを有する光ディスク記録装置であって、
入力アナログ信号をデジタル信号に変換するアナログ／デジタル変換回路、
前記入力アナログ信号の画質を解析し、解析結果に応じて前記複数の録画モードのうちのいずれかの録画モードを選択する画質解析部、
前記画質解析部によって選択された録画モードに対応する圧縮率で、前記アナログ／デジタル変換回路からのデジタル信号を圧縮して、圧縮画像データを生成するエンコーダ、および
前記エンコーダによって生成された圧縮画像データを光ディスクに記録する記録部を備える、光ディスク記録装置。
【請求項３】
前記画質解析部は、前記入力アナログ信号のノイズレベルを検出し、検出されたノイズレベルと予め定められた複数の基準値とを比較して、比較結果に応じて前記複数の録画モードのうちのいずれかの録画モードを選択する、請求項２に記載の光ディスク記録装置。
【請求項４】
それぞれ録画画質の異なる複数の録画モードを有する光ディスク記録装置の記録方法であって、
入力アナログ信号のノイズレベルを検出するステップ、
検出されたノイズレベルに応じて、前記複数の録画モードのうちのいずれかの録画モードを選択するステップ、
前記入力アナログ信号をデジタル信号に変換し、選択された録画モードに対応する圧縮率で前記デジタル信号を圧縮して、圧縮画像データを生成するステップ、および
生成された前記圧縮画像データを光ディスクに記録するステップを含む、光ディスク記録装置の記録方法。
【発明の詳細な説明】
【技術分野】
【０００１】
この発明は、光ディスク記録装置およびその記録方法に関し、特に、それぞれ録画画質の異なる複数の録画モードを有する光ディスク記録装置およびその記録方法に関する。
【背景技術】
【０００２】
一般的にＤＶＤ（デジタル・ビデオ・ディスク）レコーダーは、それぞれ録画画質の異なる複数の録画モード（ＸＰ（高画質），ＳＰ（標準），ＬＰ（長時間１），ＥＰ（長時間２），ＳＬＰ（長時間３）など）を有しており、ユーザが録画モードを任意に設定できるようになっている。たとえば、４．７ＧＢの光ディスク（ＤＶＤ−Ｒディスクなど）を使用した場合の各録画モードに対応する録画時間は、ＸＰ：１時間、ＳＰ：２時間、ＬＰ：４時間、ＥＰ：６時間、ＳＬＰ：８時間である。
【０００３】
下記の特許文献１には、テレビ放送を受信して録画する録画モードすなわち録画画質の高低レベルが電波状況に応じて自動設定され、録画装置の記録媒体を非能率に使用するといったことのない映像記録装置が開示されている。これによると、受信する電波の状況に応じて、画質がよいときは高画質録画モードで録画し、画質が悪いときは低画質録画モードで録画することができる。
【０００４】
また、下記の特許文献２には、使用者が録画画質などの記録品質を設定できるようにするとともに、予約された番組が記録媒体内に録画できるように圧縮率を自動設定できるようにする技術が開示されている。これによると、記録残量に基づいて録画予約番組をすべて録画できるように圧縮率が自動設定される。
【０００５】
また、下記の特許文献３には、映像データを管理するための管理データが記録される管理領域に、映像データの画質を示す情報を記録し、また再生することを可能にしたので、この画質情報を有効に利用することにより記録効率を向上させる技術が開示されている。
【特許文献１】特開２００４−３２８０８６号公報
【特許文献２】特開平１０−９２１０６号公報
【特許文献３】特開２００５−３３８１９号公報
【発明の開示】
【発明が解決しようとする課題】
【０００６】
従来のＤＶＤレコーダーでは、録画する際にユーザが録画モードを任意に設定していた。しかし、高画質の録画モードに設定した場合でも、入力信号の画質がよくなければ、よい画質で録画することはできない。たとえば、アナログテレビ放送を録画する場合は録画モードＳＰ（標準）に設定すれば十分である。一般のユーザでは、多くの録画モードのうちどの録画モードが最適であるかが判断できず、感に頼って録画モードを設定していた。また、外部機器からの入力信号を録画する場合など、どの録画モードが最適であるかが分からないことがあり、使い勝手がよくなかった。
【０００７】
それゆえに、この発明の主たる目的は、入力信号の画質に対して最適な録画モードで録画することが可能な光ディスク記録装置およびその記録方法を提供することである。
【課題を解決するための手段】
【０００８】
この発明に係る光ディスク記録装置は、それぞれ録画画質の異なる複数の録画モードを有する光ディスク記録装置であって、入力アナログ信号をデジタル信号に変換するアナログ／デジタル変換回路と、入力アナログ信号のノイズレベルを検出し、検出されたノイズレベルと予め定められた複数の基準値とを比較して、比較結果に応じて複数の録画モードのうちのいずれかの録画モードを選択する画質解析部と、画質解析部によって選択された録画モードに対応する圧縮率で、アナログ／デジタル変換回路からのデジタル信号を圧縮して、圧縮画像データを生成するエンコーダと、エンコーダによって生成された圧縮画像データを光ディスクに記録する記録部とを備えたものである。
【０００９】
この発明に係る他の光ディスク記録装置は、それぞれ録画画質の異なる複数の録画モードを有する光ディスク記録装置であって、入力アナログ信号をデジタル信号に変換するアナログ／デジタル変換回路と、入力アナログ信号の画質を解析し、解析結果に応じて複数の録画モードのうちのいずれかの録画モードを選択する画質解析部と、画質解析部によって選択された録画モードに対応する圧縮率で、アナログ／デジタル変換回路からのデジタル信号を圧縮して、圧縮画像データを生成するエンコーダと、エンコーダによって生成された圧縮画像データを光ディスクに記録する記録部とを備えたものである。
【００１０】
好ましくは、画質解析部は、入力アナログ信号のノイズレベルを検出し、検出されたノイズレベルと予め定められた複数の基準値とを比較して、比較結果に応じて複数の録画モードのうちのいずれかの録画モードを選択する。
【００１１】
この発明に係る記録方法は、それぞれ録画画質の異なる複数の録画モードを有する光ディスク記録装置の記録方法であって、入力アナログ信号のノイズレベルを検出するステップと、検出されたノイズレベルに応じて、複数の録画モードのうちのいずれかの録画モードを選択するステップと、入力アナログ信号をデジタル信号に変換し、選択された録画モードに対応する圧縮率でデジタル信号を圧縮して、圧縮画像データを生成するステップと、生成された圧縮画像データを光ディスクに記録するステップとを含む。
【発明の効果】
【００１２】
この発明に係る光ディスク記録装置では、入力アナログ信号をデジタル信号に変換するアナログ／デジタル変換回路と、入力アナログ信号の画質を解析し、解析結果に応じて複数の録画モードのうちのいずれかの録画モードを選択する画質解析部と、画質解析部によって選択された録画モードに対応する圧縮率で、アナログ／デジタル変換回路からのデジタル信号を圧縮して、圧縮画像データを生成するエンコーダと、エンコーダによって生成された圧縮画像データを光ディスクに記録する記録部とが設けられる。したがって、入力信号の画質に対して最適な録画モードで録画することが可能になり、使い勝手がよくなる。
【発明を実施するための最良の形態】
【００１３】
図１は、この発明の一実施の形態によるＤＶＤレコーダーの概略構成を示すブロック図である。図１において、このＤＶＤレコーダーは、チューナ１と、切換スイッチ２と、Ａ／Ｄ変換回路３と、エンコーダ４と、画質解析部５と、録画モード設定部６と、光ヘッド７と、光ディスク８と、操作部９とを備える。Ａ／Ｄ変換回路３、エンコーダ４および録画モード設定部６は、信号処理用のＩＣ（集積回路）に組込まれる。
【００１４】
チューナ１は、アンテナで受信されたアナログ放送信号から希望するチャンネルの信号を選局して復調する。切換スイッチ２は、チューナ１からの入力アナログ信号または外部機器（ビデオカメラなど）からの入力アナログ信号のいずれか一方の信号を選択して出力する。Ａ／Ｄ変換回路３は、切換スイッチ２からのアナログ信号をデジタル信号に変換する。エンコーダ４は、Ａ／Ｄ変換回路３からのデジタル信号を圧縮して圧縮画像データを生成する。光ヘッド７は、エンコーダ４によって生成された圧縮画像データをＤＶＤ−Ｒディスクなどの光ディスク８に記録する。
【００１５】
画質解析部５は、切換スイッチ２からのアナログ信号の画質を解析し、解析結果に応じて、それぞれ録画画質の異なる複数の録画モードＸＰ，ＳＰ，ＬＰ，ＥＰ，ＳＬＰのうち最適な録画モードを選択する制御信号を出力する。録画モード設定部６は、画質解析部５からの制御信号に従って、エンコーダ４の録画モードを設定する。エンコーダ４は、設定された録画モードに対応する圧縮率で圧縮処理を行なう。ユーザは、装置本体またはリモコンに設けられた操作部９を用いて、録画モード設定部６を操作する。操作部９には、たとえば「おまかせ録画」ボタンが設けられており、ユーザが「おまかせ録画」ボタンを押すと、入力アナログ信号の画質に対して最適な録画モードが自動的に設定される。
【００１６】
図２は、図１に示した画質解析部５の動作について説明するための図である。画質解析部５は、バンドパスフィルタなどによって、切換スイッチ２からのアナログ信号のノイズレベルを検出する。そして、検出されたノイズレベルと予め定められた基準値ＲＥＦ１〜ＲＥＦ４とを比較し、比較結果に応じて録画モードＸＰ，ＳＰ，ＬＰ，ＥＰ，ＳＬＰのうち最適な録画モードを選択する制御信号を出力する。具体的には、画質解析部５は、検出されたノイズレベルが基準値ＲＥＦ１よりも小さい場合は録画モードＸＰを選択し、検出されたノイズレベルが基準値ＲＥＦ１よりも大きく基準値ＲＥＦ２よりも小さい場合は録画モードＳＰを選択し、検出されたノイズレベルが基準値ＲＥＦ２よりも大きく基準値ＲＥＦ３よりも小さい場合は録画モードＬＰを選択し、検出されたノイズレベルが基準値ＲＥＦ３よりも大きく基準値ＲＥＦ４よりも小さい場合は録画モードＥＰを選択し、検出されたノイズレベルが基準値ＲＥＦ４よりも大きい場合は録画モードＳＬＰを選択する。
【００１７】
なお、録画モードＸＰが最も高画質であり、録画モードＳＬＰが最も低画質である。たとえば、４．７ＧＢの光ディスクを使用した場合の各録画モードに対応する録画時間は、ＸＰ：１時間、ＳＰ：２時間、ＬＰ：４時間、ＥＰ：６時間、ＳＬＰ：８時間である。
【００１８】
図３は、図１に示したＤＶＤレコーダーの動作を示すフローチャートである。ステップＳ１において、画質解析部５は、切換スイッチ２からのアナログ信号のノイズレベルを検出する。続いてステップＳ２において、検出されたノイズレベルと予め設定された基準値ＲＥＦ１〜ＲＥＦ４とを比較する。ステップＳ３において、比較結果に応じて録画モードＸＰ，ＳＰ，ＬＰ，ＥＰ，ＳＬＰのうち最適な録画モードを選択する制御信号を出力する。録画モード設定部６は、画質解析部５からの制御信号に従って、エンコーダ４の録画モードのビット設定を行なう。ステップＳ４において、エンコーダ４は、設定された録画モードに対応する圧縮率でＡ／Ｄ変換回路３からのデジタル信号を圧縮して圧縮画像データを生成する。エンコーダ４によって生成された圧縮画像データは、光ヘッド７によって光ディスク８に記録される。
【００１９】
したがって、ユーザが「おまかせ録画」ボタンを一つ押すだけで、入力アナログ信号の画質に対して最適な録画モードに自動的に設定されて、録画動作が実行される。これにより、光ディスクの記録領域を効率的に使用することができ、同一の光ディスク上により多くの動画データを記録するが可能になる。したがって、ユーザにとって使い勝手がよくなる。
【００２０】
なお、ここでは、「おまかせ録画」ボタンが押されると最適な録画モードに自動的に設定されて録画動作が行なわれる場合について説明したが、最適な録画モードを画面に表示させるようにしてもよい。たとえば、ユーザが操作部９を用いて録画モードをマニュアル設定した場合、画質解析部５によって選択された録画モードよりもユーザが設定した録画モードの方が高画質であれば、画質解析部５によって選択された録画モードを推奨録画モードとして画面に表示させるようにしてもよい。
【００２１】
また、ここでは、画質解析部５が入力アナログ信号のノイズレベルに基づいて最適な録画モードを選択する場合について説明したが、画質解析部５が入力アナログ信号の周波数特性を解析することによって、最適な録画モードを選択するようにしてもよい。たとえば、低画質の画像よりも高画質の画像の方が高周波数成分が多いという特性を利用して、最適な録画モードを選択するようにしてもよい。
【００２２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００２３】
【図１】この発明の一実施の形態によるＤＶＤレコーダーの概略構成を示すブロック図である。
【図２】図１に示した画質解析部５の動作について説明するための図である。
【図３】図１に示したＤＶＤレコーダーの動作を示すフローチャートである。
【符号の説明】
【００２４】
１  チューナ、２  切換スイッチ、３  Ａ／Ｄ変換回路、４  エンコーダ、５  画質解析部、６  録画モード設定部、７  光ヘッド、８  光ディスク、９  操作部、１０  ＩＣ。
【図１】
2006323925.tif 000003
【図２】
2006323925.tif 000004
【図３】
2006323925.tif 000005